(57)【要約】【課題】防火安全性を確保した上で薄型化が可能な壁取付用照明器具を提供する。【解決手段】壁取付用照明器具１は、浴室の壁に取り付けられるものであり、基板２と、基板２を収容するケース４と、ケース４に取り付けられるグローブと、不燃部８と、を備えている。基板２におけるグローブ側の表面２１には、複数の光源３１が配置されている。基板２の裏面には、端子台３２と、電源回路構成部品３３〜３６が配置されている。不燃部８は、電源回路構成部品３３〜３６を覆うものであり、長方形板状の対向面８１と、対向面８１の幅方向両端部から立設した一対の交差面８２と、の３面で構成されている。壁取付用照明器具１が壁に取り付けられた状態では、不燃部８と基板２とが電源回路構成部品３３〜３６の前後左右を包囲しており、電源回路構成部品３３〜３６の上方及び下方が開放されている。【選択図】図４
2020061264.tif 000002
【特許請求の範囲】
【請求項１】
基板と、前記基板に搭載された光源及び電源回路構成部品と、前記基板を収容するケースと、前記ケースに取り付けられるグローブと、を備え、上下方向が定められて壁に取り付けられる壁取付用照明器具において、
前記基板における前記グローブ側の表面に前記光源が配置され、前記基板における前記グローブと反対側の裏面に前記電源回路構成部品が配置され、
前記電源回路構成部品を覆う不燃部を備え、
前記不燃部が、前記基板の裏面と対向する対向面と、前記基板と交差する一対の交差面と、の３面で構成され、
前記不燃部と前記基板とが前記電源回路構成部品の前後左右を包囲し、前記電源回路構成部品の上方及び下方が開放されている
ことを特徴とする壁取付用照明器具。
【請求項２】
前記ケースと前記グローブとが閉空間を形成する
ことを特徴とする請求項１に記載の壁取付用照明器具。
【請求項３】
前記光源がＬＥＤである
ことを特徴とする請求項１又は２に記載の壁取付用照明器具。
【請求項４】
前記不燃部が前記ケースと別体の不燃材で構成されている
ことを特徴とする請求項１〜３の何れか１項に記載の壁取付用照明器具。
【請求項５】
前記不燃部が、前記ケースと前記基板との間に挟まれることで前記ケースに保持されている
ことを特徴をする請求項４に記載の壁取付用照明器具。
【請求項６】
前記不燃部が不燃材から成るシートで構成されており、
前記ケースが、前記基板の裏面と対向する対向部と、前記基板と交差する一対の交差部と、を有し、
前記シートが、前記対向部及び前記一対の交差部に固定されている
ことを特徴とする請求項１〜３の何れか１項に記載の壁取付用照明器具。
【発明の詳細な説明】
【技術分野】
【０００１】
本発明は、壁取付用照明器具に関するものである。
【背景技術】
【０００２】
特許文献１には、浴室等の壁に取り付けられる壁取付用照明器具が開示されている。この壁取付用照明器具は、基板にＬＥＤ等の電子部品が搭載された光源ユニットと、光源ユニットを収容するケースと、ケースに取り付けられるグローブと、を備えている。
【先行技術文献】
【特許文献】
【０００３】
【特許文献１】特開２０１７−８４５１０号公報
【発明の概要】
【発明が解決しようとする課題】
【０００４】
上述した従来の壁取付用照明器具においては、さらなる薄型化（壁からの突出量を小さくする）の要求があった。しかしながら、上記基板に搭載された電子部品のうち電源回路構成部品は、放熱が不十分だと高温になって発火するおそれがあったため、上記壁取付用照明器具においては、電源回路構成部品からケースまでの距離を十分に取ることで防火安全性を確保しており、その薄型化は容易ではなかった。
【０００５】
本発明は、上述した問題に鑑みてなされたものであり、防火安全性を確保した上で薄型化が可能な壁取付用照明器具を提供することを目的としている。
【課題を解決するための手段】
【０００６】
本発明は、基板と、前記基板に搭載された光源及び電源回路構成部品と、前記基板を収容するケースと、前記ケースに取り付けられるグローブと、を備え、上下方向が定められて壁に取り付けられる壁取付用照明器具において、前記基板における前記グローブ側の表面に前記光源が配置され、前記基板における前記グローブと反対側の裏面に前記電源回路構成部品が配置され、前記電源回路構成部品を覆う不燃部を備え、前記不燃部が、前記基板の裏面と対向する対向面と、前記基板と交差する一対の交差面と、の３面で構成され、前記不燃部と前記基板とが前記電源回路構成部品の前後左右を包囲し、前記電源回路構成部品の上方及び下方が開放されていることを特徴とするものである。
【発明の効果】
【０００７】
本発明によれば、上記構成の不燃部によって電源回路構成部品の下方から上方に向かって対流を生じさせることができ、電源回路構成部品の放熱効率を高めることができる。このため、電源回路構成部品の過度な温度上昇を防ぐことができる。万が一、電源回路構成部品が発火した場合でも、不燃部及び基板が電源回路構成部品の前後左右を包囲しているため、ケースに火が燃え広がることを防止できる。これらのことにより、防火安全性を確保した上で、基板からケースまでの距離を従来品よりも狭くすること（薄型化）ができる。
【図面の簡単な説明】
【０００８】
【図１】本発明の第１実施形態にかかる壁取付用照明器具の斜視図である。
【図２】図１の壁取付用照明器具の分解図である。
【図３】図２のケースに不燃部が重ねられた状態を示す図である。
【図４】図３のケースに基板が収容された状態を示す図である。
【図５】図２の基板の拡大図である。
【図６】図５の基板の裏面を示す図である。
【図７】図１の壁取付用照明器具における熱対流について説明する説明図である。
【図８】本発明の第２実施形態にかかる壁取付用照明器具を構成するケースの斜視図である。
【図９】図８のケースにシート状の不燃部が貼り付けられた状態を示す図である。
【図１０】図９のケースに基板が収容された状態を示す図である。
【発明を実施するための形態】
【０００９】
本発明の第１実施形態にかかる「壁取付用照明器具」を図１〜７を参照して説明する。図１に示す壁取付用照明器具１は、浴室の壁１０に取り付けられて使用されるものである。この壁取付用照明器具１は、図２，６に示すように、基板２と、基板２に搭載された電子部品と、基板２を収容するケース４と、ケース４に取り付けられるグローブ５と、パッキン６，７と、不燃部８と、を備えている。また、パッキン６，７は、浴室に取り付け可能とするため、密封性を高める目的で用いられている。
【００１０】
基板２は、配線パターンが形成されたプリント基板であり、円形板状に形成されている。図２，５に示すように、基板２におけるグローブ５側の表面２１には、複数の光源３１が配置されている。本例の光源３１はＬＥＤである。図６に示すように、基板２におけるグローブ５と反対側の裏面２２には、端子台３２と、電源回路構成部品３３〜３６が配置されている。端子台３２は、壁１０の裏側に配索された電線と基板２とを電気接続するものである。また、基板２には、位置決め用孔２３と、ネジ挿通孔２４と、が形成されている。
【００１１】
また、壁取付用照明器具１は、端子台３２の電線接続機構の向きにより、壁取付時の上下方向が定められる。すなわち、壁取付用照明器具１は、端子台３２から電線が下向きに引き出されるように設計されており、前記電線が引き出される側が「下」、その逆側が「上」と定められる。
【００１２】
ケース４は、合成樹脂で構成されており、図２，３に示すように、壁１０に重ねられる円形板状の対向部４１と、対向部４１から壁１０と反対側に立設した円筒部４２と、基板２を位置決めするためのボス４３と、基板２を固定するためのネジ取付部４４と、対向部４１に貫通形成されたネジ挿通孔４５と、対向部４１に形成された凸部４６と、不燃部８を位置決めするための一対の位置決め部４８と、グローブ５と係止する係止部４９と、を有している。
【００１３】
図４に示すように、基板２は、位置決め用孔２３にボス４３が挿入されることでケース４に位置決めされ、ネジ９がネジ挿通孔２４に挿入されてネジ取付部４４に捩じ込まれることでケース４に固定される。また、基板２は、円筒部４２の内側に配置されかつ裏面２２が対向部４１と対向する向きでケース４に収容される。
【００１４】
凸部４６は、対向部４１から壁１０と反対側に凸に形成されている。凸部４６には、ケース４の外部に連通した開口部４７が形成されている。基板２がケース４に収容された状態において、端子台３２は、開口部４７に位置付けられる。
【００１５】
一対の位置決め部４８は、対向部４１から壁１０と反対側に突出している。一対の位置決め部４８は、互いの間に不燃部８を位置付けることで不燃部８を位置決めする。また、一対の位置決め部４８は、上下方向に間隔をあけて配置されている。
【００１６】
ケース４は、ネジ挿通孔４５に挿入されたネジが壁１０に捩じ込まれることで壁１０に固定される。
【００１７】
グローブ５は、光源３１を覆い、光源３１から発せられる光を拡散させるためのものであり、透光性の合成樹脂で構成されている。グローブ５は、対向部４１との間に基板２を位置付ける円形板状の正面部５１と、正面部５１の外縁から立設した円筒状の側部５２と、ケース４の係止部４９が係止する係止受け部５９と、を有している。グローブ５は、側部５２がケース４の円筒部４２の外周面に重ねられ、係止受け部５９に係止部４９が係止することでケース４に固定される。また、本例では、ケース４とグローブ５とが閉空間を形成し、この閉空間内に基板２及び電子部品が配置される。
【００１８】
パッキン６は、環状に形成されており、ケース４の円筒部４２の外周面に取り付けられる。このパッキン６は、ケース４の円筒部４２とグローブ５の側部５２との間をシールする。
【００１９】
パッキン７は、シート状に形成されており、ケース４の対向部４１の外面に取り付けられる。このパッキン７は、対向部４１と壁１０との間をシールする。
【００２０】
不燃部８は、電源回路構成部品３３〜３６を覆うものであり、長方形板状の対向面８１と、対向面８１の幅方向両端部から立設した一対の交差面８２と、の３面で構成されている。対向面８１の長手方向両端部それぞれには、切欠き８３が形成されている。また、本例では、不燃部８は、ケース４と別体の金属、すなわち不燃材で構成されている。これ以外に本発明の「不燃部」は、不燃部８と同形の樹脂等にアルミテープ、銅テープ、マイカ等を貼付して構成してもよい。
【００２１】
図３に示すように、不燃部８は、対向面８１がケース４の対向部４１に重ねられかつ各切欠き８３に各位置決め部４８が位置付けられることでケース４に位置決めされる。この状態で図４に示すように基板２がケース４に固定される。図４に示す状態では、対向面８１が基板２の裏面２２と対向し、一対の交差面８２が基板２と交差する。
【００２２】
また、本例では、基板２がケース４に固定されることで基板２が一対の交差面８２の先端部に当接する。このように不燃部８が対向部４１と基板２との間に挟まれることで、不燃部８がケース４に保持される。このように本例では、ネジ等を用いずに不燃部８をケース４に保持することができるので、部品点数を低減でき、また、組立を容易にすることができる。
【００２３】
図１に示すように、壁取付用照明器具１が壁１０に取り付けられた状態では、不燃部８と基板２とが電源回路構成部品３３〜３６の前後左右を包囲しており、電源回路構成部品３３〜３６の上方及び下方が開放されている。すなわち、不燃部８の長手方向が鉛直方向と一致する向きで壁取付用照明器具１が壁１０に取り付けられる。また、壁取付用照明器具１は、基板２から対向部４１までの距離が従来品よりも狭くなっており、全体的に薄型化されている（壁１０からの突出量が小さくされている）。
【００２４】
上記「電源回路構成部品３３〜３６の前後」とは、対向面８１の厚み方向における電源回路構成部品３３〜３６の前方及び後方である。上記「電源回路構成部品３３〜３６の左右」とは、対向面８１の幅方向における電源回路構成部品３３〜３６の左方及び右方である。上記「電源回路構成部品３３〜３６の上方及び下方」とは、対向面８１の長手向における電源回路構成部品３３〜３６の上方及び下方である。
【００２５】
電源回路構成部品３３〜３６は、通電されることで発熱源となる。この点において本発明では、電源回路構成部品３３〜３６の上方及び下方が開放されているので、電源回路構成部品３３〜３６の下方から上方に向かって対流を生じさせることができ、電源回路構成部品３３〜３６の放熱効率を高めることができる。このため、電源回路構成部品３３〜３６の過度な温度上昇を防ぐことができる。万が一、電源回路構成部品３３〜３６が発火した場合でも、不燃部８及び基板２が電源回路構成部品３３〜３６の前後左右を包囲しているため、ケース４に火が燃え広がることを防止できる。また、電源回路構成部品３３〜３６の上方及び下方においては、電源回路構成部品３３〜３６からケース４までの距離を十分に取っているため、ケース４に火が燃え広がることを防止できる。
【００２６】
さらに、本例では、浴室取付用に密封性を高めているため、閉空間内に基板２及び電子部品が配置される。仮に、不燃部８を用いないとすると、壁取付用照明器具１内の上部に熱が溜まることになる。この点において本例では、不燃部８を用いることで図７に矢印Ａ，Ｂで示す対流、すなわち壁取付用照明器具１内全体を循環する対流を生じさせることができるので、壁取付用照明器具１全体の放熱効率を高めることができる。
【００２７】
このように、本発明によれば、防火安全性を確保した上で薄型化が可能な壁取付用照明器具１を提供することができる。
【００２８】
本発明の第２実施形態にかかる「壁取付用照明器具」を図８〜１０を参照して説明する。図８〜１０において、前述した実施形態と同一構成部分には同一符号を付して説明を省略する。
【００２９】
本例の壁取付用照明器具は、図８に示すケース１０４、及び、図９に示す不燃部１０８の構成が第１実施形態と相違しており、他は第１実施形態と同一構成となっている。
【００３０】
ケース１０４は、対向部４１から立設した一対の交差部１４２を有している。これら一対の交差部１４２は、第１実施形態の不燃部８の一対の交差面８２と同形状、同位置に形成されている。
【００３１】
不燃部１０８は、不燃材から成るシートで構成されており、このシートが、一対の交差部１４２、及び、対向部４１のうち一対の交差部１４２間に位置する部分１４１に固定されている。本例では、不燃部１０８が、アルミフィルムの片面に粘着剤が塗布されたシートで構成されている。そして、このシートにおける前記部分１４１に貼り付けられた部分が不燃部１０８の対向面１８１を成しており、一対の交差部１４２に貼り付けられた部分が不燃部１０８の一対の交差面１８２を成している。
【００３２】
図１０に示すように、基板２がケース１０４に固定された状態では、対向面１８１が基板２の裏面２２と対向し、一対の交差面１８２が基板２と交差する。このような本例の不燃部１０８は、第１実施形態の不燃部８と同様の作用効果を奏する。
【００３３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３４】
１  壁取付用照明器具
２  基板
４，１０４  ケース
５  グローブ
８，１０８  不燃部
３１  光源
３３〜３６  電源回路構成部品
８１，１８１  対向面
８２，１８２  交差面
【図１】
2020061264.tif 000003
【図２】
2020061264.tif 000004
【図３】
2020061264.tif 000005
【図４】
2020061264.tif 000006
【図５】
2020061264.tif 000007
【図６】
2020061264.tif 000008
【図７】
2020061264.tif 000009
【図８】
2020061264.tif 000010
【図９】
2020061264.tif 000011
【図１０】
2020061264.tif 000012